(57)【要約】  情報処理装置（１）は、出力部（４３）と、受付部（４４）と、記憶部（４１）と、位置特定処理部（４５）とを備える。出力部（４３）は、複数の音響機器（３Ａ〜３Ｆ）に検出信号を出力する。受付部（４４）、複数の音響機器（３Ａ〜３Ｆ）から出力される応答信号を基に、複数の音響機器（３Ａ〜３Ｆ）のそれぞれの配置を受け付ける。記憶部（４１）は、複数の音響機器（３Ａ〜３Ｆ）の配置を示す配置データを記憶する。位置特定処理部（４５）は、受付部（４４）で受け付けた配置を配置データに含まれる複数の音響機器（３Ａ〜３Ｆ）のうちのいずれか１つに割り当て、配置データに割り当てられた配置を記憶部（４１）に記憶させる。
2018235182.tif 000002
【特許請求の範囲】
【請求項１】
複数の音響機器に検出信号を出力する出力部と、
前記検出信号を受け取った前記複数の音響機器から出力される応答信号を基に、前記複数の音響機器のそれぞれの配置を受け付ける受付部と、
前記複数の音響機器の配置を示す配置データを記憶する記憶部と、
前記受付部で受け付けた前記配置を前記配置データに含まれる前記複数の音響機器のうちのいずれか１つに割り当て、前記配置データに割り当てられた前記配置を前記記憶部に記憶させる位置特定処理部と、
を備える、
情報処理装置。
【請求項２】
前記受付部は、センタ位置を受け付けるように構成され、
前記受付部で受け付けた前記センタ位置に対応して、前記複数の音響機器のそれぞれにチャンネルを割り当てるチャンネル割当部を更に備える、
請求項１に記載の情報処理装置。
【請求項３】
前記センタ位置は、前記記憶部に記憶され、
前記チャンネル割当部は、前記受付部で新たに受け付けたセンタ位置である第１センタ位置と前記記憶部に記憶されているセンタ位置である第２センタ位置とが異なる場合、前記複数の音響機器のそれぞれに、前記第１センタ位置に対応するチャンネルを割り当てるように構成される、
請求項２に記載の情報処理装置。
【請求項４】
前記出力部は、所定の空間に存在する前記複数の音響機器を割り出す割出信号を送信し、前記割出信号を受け付けた音響機器に前記検出信号を送信するように構成される、
請求項１乃至３のいずれか一項に記載の情報処理装置。
【請求項５】
前記配置データに基づいた配置図を表示する表示部を備え、
ユーザによって前記配置図を使用した操作を受け付けることで前記配置を受け付けるように構成される、
請求項１乃至４のいずれか一項に記載の情報処理装置。
【請求項６】
請求項１乃至５のいずれか一項に記載の情報処理装置と、
前記情報処理装置から出力された前記検出信号を受け取った場合、前記応答信号を出力する前記複数の音響機器と、
を備える、
情報処理システム。
【請求項７】
前記応答信号が音声である、
請求項６に記載の情報処理システム。
【請求項８】
複数の音響機器に検出信号を出力するステップと、
前記検出信号を受け取った前記複数の音響機器から出力される応答信号を基に、前記複数の音響機器のそれぞれの配置を受付部に受け付けるステップと、
前記受付部で受け付けた前記配置を記憶部に記憶されている配置データのいずれか１つに割り当てるステップと、
前記配置データに割り当てられた前記配置を前記記憶部に記憶させるステップと、
を備える、
情報処理プログラム。
【請求項９】
複数の音響機器に検出信号を出力し、
前記検出信号を受け取った前記複数の音響機器から出力される応答信号を基に、前記複数の音響機器のそれぞれの配置を受付部で受け付け、
前記複数の音響機器の配置を示す配置データを記憶部に記憶し、
前記受付部で受け付けた前記配置を、前記記憶部に記憶されている前記配置データに含まれる前記複数の音響機器のうちのいずれか１つに割り当て、
前記配置データに割り当てられた前記配置を前記記憶部に記憶させる、
情報処理方法。
【請求項１０】
センタ位置を前記受付部で受け付け、
前記受付部で受け付けた前記センタ位置に対応して、前記複数の音響機器のそれぞれにチャンネルを割り当てる、
請求項９に記載の情報処理方法。
【請求項１１】
前記センタ位置を前記記憶部に記憶し、
前記受付部で新たに受け付けたセンタ位置である第１センタ位置と前記記憶部に記憶されているセンタ位置である第２センタ位置とが異なる場合、前記複数の音響機器のそれぞれに、前記第１センタ位置に対応するチャンネルを割り当てる、
請求項１０に記載の情報処理方法。
【請求項１２】
所望の空間に存在する前記複数の音響機器を割り出す割出信号を送信し、
前記割出信号を受け付けた音響機器に前記検出信号を送信する、
請求項９乃至１１のいずれか一項に記載の情報処理方法。
【請求項１３】
前記配置データに基づいた配置図を表示部に表示し、
ユーザによって前記配置図を使用した操作を受け付けることで前記配置を受け付ける、
請求項９乃至１２のいずれか一項に記載の情報処理方法。
【発明の詳細な説明】
【技術分野】
【０００１】
本発明の一実施形態は、情報処理装置、情報処理システム、情報処理プログラム及び情報処理方法に関し、特に音響機器の配置を特定する情報処理装置、情報処理システム、情報処理プログラム及び情報処理方法である。
【背景技術】
【０００２】
従来、複数のチャンネルを有し、これらのチャンネルに対応する数のスピーカを備えるマルチチャンネルオーディオシステムがある（例えば、特許文献１）。【０００３】
マルチチャンネルオーディオシステムでは、マルチチャンネル再生環境を構築するために、アンプ装置の信号処理ユニットがチャンネル割り当て処理を実行する。これにより、マルチチャンネルオーディオシステムでは、使用する複数（９個）のスピーカがどの位置のスピーカであるかを判定する（複数のスピーカの位置を判定する）。【０００４】
チャンネル割り当て処理では、ユーザがマイクを視聴位置の左右前後のそれぞれに配置し、各スピーカから出力された測定音をマイクが収音する。マイクによって収音された収音データを使用して、各マイクの位置と各スピーカとの距離が測定される。マルチチャンネルオーディオシステムは、これらの距離に基づいて、複数のスピーカがどの位置のスピーカであるかを判定する。
【先行技術文献】
【特許文献】
【０００５】
【特許文献１】国際公開２００８／１２６１６１号
【発明の概要】
【発明が解決しようとする課題】
【０００６】
特許文献１のマルチチャンネルオーディオシステム（情報処理装置）は、複数のスピーカ（音響機器）の位置を特定するためにマイクを使用する。そして、このマルチチャンネルオーディオシステムは、複数のスピーカのそれぞれに対して４回の測定を必要とする。また、このマルチチャンネルオーディオシステムでは、１つのマイクを使用し、ユーザが視聴位置の前後左右の４点に順に配置する。このようなマルチチャンネルオーディオシステムでは、測定回数が多く、かつユーザによるマイクの移動によって、複数のスピーカの位置を特定するのに時間がかかってしまう。この結果、特許文献１のマルチチャンネルオーディオシステムでは、マルチチャンネル再生環境の構築作業が煩雑になる虞がある。【０００７】
そこで、本発明の目的は、より簡易に音響機器の配置を特定することができる、情報処理装置、情報処理システム、情報処理プログラム及び情報処理方法を提供することにある。
【課題を解決するための手段】
【０００８】
本発明の一実施形態に係る情報処理装置は、複数の音響機器に検出信号を出力する出力部と、前記検出信号を受け取った前記複数の音響機器から出力される応答信号を基に、前記複数の音響機器のそれぞれの配置を受け付ける受付部と、前記複数の音響機器の配置を示す配置データを記憶する記憶部と、前記受付部で受け付けた前記配置を前記配置データに含まれる前記複数の音響機器のうちのいずれか１つに割り当て、前記配置データに割り当てられた前記配置を前記記憶部に記憶させる位置特定処理部とを備える。
【発明の効果】
【０００９】
本発明の一実施形態によれば、より簡易に音響機器の配置を特定することができる。
【図面の簡単な説明】
【００１０】
【図１】情報処理システムの構成を示すブロック図である。
【図２】情報処理システムが構成される空間の一例を示す概略図である。
【図３】音響機器の構成を示すブロック図である。
【図４】ＡＶレシーバの構成を示すブロック図である。
【図５】複数の音響機器の情報の一例を示す対応表である。
【図６】情報処理装置の構成を示すブロック図である。
【図７】表示部に表示される配置図の一例を示す説明図である。
【図８】情報処理システムの動作を示すフローチャートである。
【図９】情報処理システムの割出処理における情報処理装置及び各音響機器の動作を示すフローチャートである。
【図１０】情報処理システムの音響機器の位置特定処理における情報処理装置及び音響機器の動作を示すフローチャートである。
【図１１】情報処理システムのチャンネル割当処理における情報処理装置の動作を示すフローチャートである。
【発明を実施するための形態】
【００１１】
本発明の一実施形態に係る情報処理装置４、情報処理プログラム、及び情報処理システム１０に関して、図面を参照して説明する。
【００１２】
最初に、情報処理システム１０を図１及び図２を参照して説明する。図１は、本発明の一実施形態に係る情報処理システム１０の構成を示したブロック図である。図２は、情報処理システム１０が構成される空間（リビングルームｒ１及び寝室ｒ２）の一例を示す概略図である。
【００１３】
本実施形態の情報処理装置４、情報処理プログラム及び情報処理システム１０では、情報処理装置４によって、コンテンツの配信の対象となる音響機器３Ａ〜３Ｆが特定される。そして、情報処理装置４、情報処理プログラム及び情報処理システム１０では、コンテンツの配信の対象である音響機器の配置が特定され、これらの音響機器のチャンネル設定が行われる。
【００１４】
情報処理システム１０は、図１に示すように、オーディオプレーヤ１と、ＡＶレシーバ２と、複数の音響機器３Ａ〜３Ｆと、情報処理装置４とを備えている。情報処理システム１０は、例えば、複数の空間を有する屋内であって、オーディオプレーヤ１が再生するコンテンツ（楽曲）を１乃至複数の音響機器３Ａ〜３Ｆから出力する。複数の音響機器３Ａ〜３Ｆは、１つの空間（部屋）内、又は別の空間に移動可能である。つまり、複数の音響機器３Ａ〜３Ｆは、常に同じ空間の同じ位置に配置されているとは限らない。そこで、情報処理システム１０は、適宜、ユーザが所望する空間に配置されている音響機器３Ａ〜３Ｆを特定し、音響機器３Ａ〜３Ｆから適切なコンテンツが出力するように構成されている。情報処理システム１０では、情報処理装置４がユーザに操作されることで、複数の音響機器３Ａ〜３Ｆのうちユーザが所望する空間に配置されている音響機器が空間内のどこに配置されているかを割り出す。
【００１５】
オーディオプレーヤ１は、コンテンツを再生する機器、例えば、ＣＤプレーヤ又はＤＶＤプレーヤ、である。本実施形態の情報処理システム１０では、オーディオプレーヤ１は、図２に示すように、リビングルームｒ１に配置されている。オーディオプレーヤ１は、無線又は有線を介してＡＶレシーバ２と接続されている。オーディオプレーヤ１は、再生したコンテンツをＡＶレシーバ２に送信する。なお、オーディオプレーヤ１は、リビングルームｒ１に配置されている例に限定されず、寝室ｒ２に配置されていてもよい。また、情報処理システム１０は、複数のオーディオプレーヤ１を備えていてもよい。
【００１６】
ＡＶレシーバ２は、無線アクセスポイント機能を有するルータを使用して、無線ＬＡＮを構築する。ＡＶレシーバ２は、例えば、無線ＬＡＮ経由で、オーディオプレーヤ１、複数の音響機器３Ａ〜３Ｆ及び情報処理装置４と接続されている。
【００１７】
ＡＶレシーバ２は、例えば、図２に示すように、リビングルームｒ１内にあって、テレビ５の近傍に配置されている。なお、ＡＶレシーバ２は、テレビ５の近傍に配置されている例に限定されず、寝室ｒ２など、屋内に配置されていればよい。
【００１８】
なお、ＡＶレシーバ２は、オーディオプレーヤ１からコンテンツを取得する例に限らず、例えば、インターネットを介してコンテンツサーバからコンテンツ（例えば、インターネットラジオ）をダウンロードしてもよい。また、ＡＶレシーバ２は、ＬＡＮケーブルを介して複数の音響機器３Ａ〜３Ｆと接続されていてもよい。また、ＡＶレシーバ２は、オーディオプレーヤ１の機能の有していてもよい。
【００１９】
複数の音響機器３Ａ〜３Ｆは、例えばスピーカ又はスピーカ機能を有する機器である。複数の音響機器３Ａ〜３Ｆは、屋内の複数の異なる空間、例えばリビングルームｒ１及び寝室ｒ２に配置されている。複数の音響機器３Ａ〜３Ｆは、ＡＶレシーバ２から出力された信号に基づいて音を出力する。複数の音響機器３Ａ〜３Ｆは、無線又は有線を介してＡＶレシーバ２と接続されている。
【００２０】
情報処理装置４は、例えば、スマートフォンなどの携帯可能なモバイル端末である。ユーザは、情報処理装置４に予めダウンロードした専用アプリを使用して、ＡＶレシーバ２との間で情報を送受信する。
【００２１】
次に、本実施形態に係るＡＶレシーバ２、複数の音響機器３Ａ〜３Ｆ及び情報処理装置４の詳細について、説明する。図３は、各音響機器の構成を示すブロック図である。図４は、ＡＶレシーバ２の構成を示すブロック図である。
【００２２】
複数（６つ）の音響機器３Ａ〜３Ｆのうち、第１音響機器３Ａ、第２音響機器３Ｂ、第３音響機器３Ｃ及び第４音響機器３Ｄは、図２に示すように、リビングルームｒ１に配置されている。第１音響機器３Ａ、第２音響機器３Ｂ、第３音響機器３Ｃ及び第４音響機器３Ｄのそれぞれは、リビングルームｒ１内の異なる位置に配置されている。また、複数の音響機器３Ａ〜３Ｆのうち、第５音響機器３Ｅ及び第６音響機器３Ｆは寝室ｒ２に配置されている。第５音響機器３Ｅ及び第６音響機器３Ｆのそれぞれは、寝室ｒ２内の異なる位置に配置されている。なお、複数の音響機器３Ａ〜３Ｆは、本実施形態に示される数及び配置に限定されない。
【００２３】
ここで、図３において、第１音響機器３Ａを例として説明する。なお、他の音響機器（第２音響機器３Ｂ、第３音響機器３Ｃ、第４音響機器３Ｄ、第５音響機器３Ｅ及び第６音響機器３Ｆ）はすべて同じ構成及び機能を有する。第１音響機器３Ａは、ＣＰＵ３１と、通信部３２と、ＲＡＭ３３と、ＲＯＭ３４と、スピーカ３５とを備えている。また、第１音響機器３Ａは、マイク３６を更に備えている。
【００２４】
ＣＰＵ３１は、通信部３２、ＲＡＭ３３、ＲＯＭ３４、スピーカ３５及びマイク３６を制御する。
【００２５】
通信部３２は、例えばＷｉ−Ｆｉ規格に準じた無線通信部である。通信部３２は、無線アクセスポイント付きのルータを介して、ＡＶレシーバ２と通信する。また、通信部３２は、同じく、情報処理装置４とも通信可能である。
【００２６】
ＲＯＭ３４は、記憶媒体である。ＲＯＭ３４は、ＣＰＵ３１の動作用プログラムを記憶している。ＣＰＵ３１は、ＲＯＭ３４に記憶されているプログラムをＲＡＭ３３に読み出して実行することにより、各種処理を行う。
【００２７】
スピーカ３５は、デジタルのオーディオ信号をアナログのオーディオ信号に変換するＤ／Ａコンバータ及びオーディオ信号を増幅するアンプを有する。スピーカ３５は、ＡＶレシーバ２から通信部３２を介して入力された信号に基づく音（例えば、楽曲など）を出力する。
【００２８】
マイク３６は、情報処理装置４が出力した割出信号（例えば、テスト音）を受け取る。言い換えると、マイク３６は、情報処理装置４から出力された割出信号であるテスト音を収音する。マイク３６が該テスト音を収音すると、ＣＰＵ３１は、応答信号として例えばビープ音を出力する。なお、応答信号は、スピーカ３５から出力される。
【００２９】
なお、応答信号は、テスト音だけに限定されない。ＣＰＵ３１は、応答信号を、直接又は通信部３２を介して情報処理装置４にデータとして送信してもよい。また、応答信号は、光、又はテスト音と光の両方でもよい。この場合、第１音響機器３Ａは、ＬＥＤ等の発光素子を有して、ＣＰＵ３１は、該発光素子を応答信号として発光させる。
【００３０】
ＡＶレシーバ２は、図４に示すように、ＣＰＵ２１と、コンテンツ入力部２２と、通信部２３と、ＤＳＰ２４と、ＲＯＭ２５と、ＲＡＭ２６とを備えている。
【００３１】
ＣＰＵ２１は、コンテンツ入力部２２、通信部２３、ＤＳＰ２４、ＲＯＭ２５及びＲＡＭ２６を制御する。
【００３２】
コンテンツ入力部２２は、オーディオプレーヤ１と有線又は無線で通信する。コンテンツ入力部２２は、オーディオプレーヤ１から、コンテンツを取得する。
【００３３】
通信部２３は、例えばＷｉ−Ｆｉ規格に準じた無線通信部である。通信部２３は、無線アクセスポイント付きのルータを介して、複数の音響機器３Ａ〜３Ｆのそれぞれと通信する。なお、ＡＶレシーバ２がルータ機能を有する場合、通信部２３は、複数の音響機器３Ａ〜３Ｆのそれぞれと直接通信する。
【００３４】
ＤＳＰ２４は、コンテンツ入力部２２に入力された信号に対して各種の信号処理を実行する。ＤＳＰ２４は、コンテンツの信号としてエンコードされたデータを受信した場合、該エンコードされたデータをデコードして、オーディオ信号を取り出す等の信号処理を実行する。
【００３５】
ＲＯＭ２５は、記憶媒体である。ＲＯＭ２５は、ＣＰＵ２１の動作用プログラムを記憶している。ＣＰＵ２１は、ＲＯＭ２５に記憶されているプログラムをＲＡＭ２６に読み出して実行することにより、各種処理を行う。
【００３６】
また、ＲＯＭ２５は、複数の音響機器３Ａ〜３Ｆの情報を記憶している。図５は、ＲＯＭ２５に記憶されている複数の音響機器３Ａ〜３Ｆの情報の一例を示す対応表である。複数の音響機器３Ａ〜３Ｆのそれぞれは、ＩＰアドレス、ＭＡＣアドレス、配置場所（配置）、チャンネルなどの情報が互いに対応づけられて記憶されている。
【００３７】
通信部２３は、情報処理装置４からデータを受信する。コンテンツ入力部２２は、受信したデータに基づくオーディオプレーヤ１のコンテンツを取得する。そして、通信部２３は、コンテンツ入力部２２がオーディオプレーヤ１から受け取ったコンテンツを基に、複数の音響機器３Ａ〜３Ｆのそれぞれにオーディオデータを送信する。
【００３８】
また、通信部２３は、情報処理装置４とデータを送受信する。情報処理装置４は、ユーザから設定操作等を受け付けると、ＡＶレシーバ２に開始通知を送信する。通信部２３は、情報処理装置４から送信された開始通知を受信する。そして、通信部２３は、開始通知を受信すると、複数の音響機器３Ａ〜３Ｆのマイク３６が収音状態になるように、複数の音響機器３Ａ〜３Ｆに収音開始通知を送信する。さらに、情報処理装置４は、タイムアウト又はユーザの操作によって、終了通知をＡＶレシーバ２に送信する。通信部２３は、情報処理装置４からの終了通知を受信する。複数の音響機器３Ａ〜３Ｆのそれぞれのマイク３６が収音状態である場合、複数の音響機器３Ａ〜３Ｆのそれぞれのマイク３６が収音停止状態になるように、通信部２３は、複数の音響機器３Ａ〜３Ｆのそれぞれに収音の終了通知を送信する。
【００３９】
ところで、第１音響機器３Ａ、第２音響機器３Ｂ、第３音響機器３Ｃ、第４音響機器３Ｄ、第５音響機器３Ｅ及び第６音響機器３Ｆのそれぞれには、固有のＩＰアドレス（ローカルアドレス）が割り当てられている。第１音響機器３Ａ、第２音響機器３Ｂ、第３音響機器３Ｃ、第４音響機器３Ｄ、第５音響機器３Ｅ及び第６音響機器３ＦのＩＰアドレスは、ＡＶレシーバ２によって割り当てられる。なお、第１音響機器３Ａ、第２音響機器３Ｂ、第３音響機器３Ｃ、第４音響機器３Ｄ、第５音響機器３Ｅ及び第６音響機器３ＦのＩＰアドレスは、ルータ等によって割り当てられてもよい。
【００４０】
また、第１音響機器３Ａ、第２音響機器３Ｂ、第３音響機器３Ｃ、第４音響機器３Ｄ、第５音響機器３Ｅ及び第６音響機器３Ｆのそれぞれは、固有の個体識別情報であるＭＡＣアドレスを有している。なお、個体識別情報は、他にもシリアル番号又はＩＤ番号等、識別情報であればよい。ＩＰアドレスとＭＡＣアドレスは、予め複数の音響機器３Ａ〜３Ｆと一対一に対応づけられている。対応付けられた情報は、ＡＶレシーバ２に記憶されている。
【００４１】
情報処理装置４は、例えば、スマートフォンなどの携帯可能なモバイル端末である。図６は、情報処理装置４の構成を示すブロック図である。情報処理装置４は、ＣＰＵ４０、記憶部４１と、表示部４２と、出力部４３と、受付部４４と、位置特定処理部４５と、チャンネル割当部４６と、ＲＡＭ４７とを備える。また、情報処理装置４は、上述の構成のほか、スマートフォンに既存する機能及び構成を有している。
【００４２】
なお、情報処理装置４は、タブレット、スマートウォッチ又はＰＣなど、ユーザによる操作可能な機器であればよい。
【００４３】
ＣＰＵ４０は、例えば、記憶部４１に記憶されているプログラムをＲＡＭ４７で読み出して実行することにより、各種処理を行う。
【００４４】
出力部４３は、所定の空間に存在する複数の音響機器３Ａ〜３Ｆの空間内の配置を割り出すための割出信号を送信し、割出信号を受け付けた音響機器に検出信号を送信さする。出力部４３は、スピーカ、発光素子、赤外線送信機又はアンテナなどを有して、音、光、赤外線、又は信号を出力することができる。本実施形態の情報処理装置４では、出力部４３は、割出信号として音、例えばビープ音、をスピーカから出力する。出力部４３は、所定の空間（例えば、リビングルームｒ１）に配置されている複数の音響機器（例えば、第１音響機器３Ａ、第２音響機器３Ｂ、第３音響機器３Ｃ及び第４音響機器３Ｄ）だけが収音できる大きさの該ビープ音を出力する。これにより、情報処理システム１０では、ビープ音を収音できた音響機器（例えば、第１音響機器３Ａ、第２音響機器３Ｂ、第３音響機器３Ｃ及び第４音響機器３Ｄ）のみが割り出しの対象となる。
【００４５】
なお、割出信号は、音だけに限定されず、光又は赤外線などでもよい。例えば、割出信号が光の場合、出力部４３は、発光素子を発光させる。また、割出信号が赤外線の場合、出力部４３は、赤外線送信機から赤外線を出力する。
【００４６】
さらに、出力部４３は、複数の音響機器（例えば、第１音響機器３Ａ、第２音響機器３Ｂ、第３音響機器３Ｃ及び第４音響機器３Ｄ）に検出信号を出力する。より詳細には、出力部４３は、割り出しの対象となる音響機器（例えば、第１音響機器３Ａ、第２音響機器３Ｂ、第３音響機器３Ｃ及び第４音響機器３Ｄ）に直接又はＡＶレシーバ２を介して検出信号を出力する。出力部４３は、ユーザが所望する音響機器（例えば、第１音響機器３Ａ）に直接又はＡＶレシーバ２を介して検出信号を送信する。
【００４７】
また、出力部４３は、割り出し処理の開始を通知する開始通知及び割り出し処理の終了を通知する終了通知を直接又はＡＶレシーバ２を介して複数の音響機器３Ａ〜３Ｆに送信する。これにより、複数の音響機器３Ａ〜３Ｆのそれぞれは、マイク３６を収音状態又は収音停止状態に設定する。
【００４８】
記憶部４１は、ＣＰＵ４０によって実行される各種プログラムを記憶している。また、記憶部４１は、複数の音響機器３Ａ〜３Ｆの空間内の配置を示す配置データを記憶する。配置データは、複数の音響機器３Ａ〜３Ｆと、空間と、配置とが互いに対応づけられデータである。記憶部４１は、割り当て処理によって、複数の音響機器３Ａ〜３Ｆのそれぞれと、複数の音響機器３Ａ〜３Ｆのそれぞれが配置されている空間とが対応付けられて記憶する。例えば、記憶部４１は、リビングルームｒ１に配置されている第１音響機器３Ａ、第２音響機器３Ｂ、第３音響機器３Ｃ及び第４音響機器３Ｄとリビングルームｒ１とが対応付けられた配置データを記憶している。また、記憶部４１は、寝室ｒ２に配置されている第５音響機器３Ｅ及び第６音響機器３Ｆと寝室ｒ２とが対応付けられた配置データを記憶している。
【００４９】
配置は、例えば、リビングルームｒ１のどこに、第１音響機器３Ａ、第２音響機器３Ｂ、第３音響機器３Ｃ及び第４音響機器３Ｄが配置されているかを示す情報である。記憶部４１には、位置特定処理によって、複数の音響機器３Ａ〜３Ｆのそれぞれと、複数の音響機器３Ａ〜３Ｆのそれぞれの配置とが対応付けられて記憶される。
【００５０】
表示部４２は、情報処理装置４がダウンロードしたアプリを表示するための画面、例えばＬＣＤ（Liquid Crystal Display）を有する。ユーザは、画面上でタップ又はスライド等をすることで、アプリを操作することができる。
【００５１】
表示部４２は、配置データに基づいた配置図を表示する。図７は、表示部４２に表示される配置図の一例を示す説明図である。図７に示すように、表示部４２の画面の上方には、リビングルームｒ１内に配置されている第１音響機器３Ａ、第２音響機器３Ｂ、第３音響機器３Ｃ及び第４音響機器３Ｄが後に選択される配置とチャンネルとに対応づけられた対応表が表示されている。また、画面の下方には、リビングルームｒ１を模した簡易図（配置図）が表示されている。配置図には、音響機器の配置を示す配置場所Ａ１〜Ａ４が表示されている。これにより、ユーザは、第１音響機器３Ａ、第２音響機器３Ｂ、第３音響機器３Ｃ及び第４音響機器３Ｄを、配置場所Ａ１〜Ａ４と一対一に対応するように画面を操作して、第１音響機器３Ａ、第２音響機器３Ｂ、第３音響機器３Ｃ及び第４音響機器３Ｄと配置場所とを対応づける。
【００５２】
例えば、タッチパネルからなる受付部４４は、検出信号を受け取った複数の音響機器（例えば、第１音響機器３Ａ、第２音響機器３Ｂ、第３音響機器３Ｃ及び第４音響機器３Ｄ）から出力される応答信号を基に例えば、第１音響機器３Ａ、第２音響機器３Ｂ、第３音響機器３Ｃ及び第４音響機器３Ｄのそれぞれの配置を受け付ける。例えば、応答信号が音の場合、ユーザは、音を出力している音響機器（例えば、第１音響機器３Ａ）がどの音響機器であるか判断する。そして、ユーザは、音を出力している音響機器（例えば、第１音響機器３Ａ）が配置場所Ａ１〜Ａ４のいずれの配置に存在するかを画面上で選択する。表示部４２の画面には、図７に示すように、音響機器３Ａ〜３Ｆのそれぞれが一行ずつ表示されている。ユーザは、プルダウンリスト等から、第１音響機器３Ａ、第２音響機器３Ｂ、第３音響機器３Ｃ及び第４音響機器３Ｄのそれぞれに配置場所Ａ１〜Ａ４のいずれかを選択する。
【００５３】
また、受付部４４は、センタ位置を受け付ける。より詳細には、受付部４４は、ユーザが図７に示す画面下方の配置図のいずれかをタッチ操作することで、センタ位置を受け付ける。
【００５４】
位置特定処理部４５は、受付部４４で受け付けた配置を配置データに含まれる複数の音響機器３Ａ〜３Ｆのうちのいずれか１つに割り当て、配置データに割り当てられた配置を記憶部４１に記憶させる。つまり、位置特定処理部４５は、図５に示す配置の列に、受付部４４が受け付けた、第１音響機器３Ａ、第２音響機器３Ｂ、第３音響機器３Ｃ及び第４音響機器３Ｄのそれぞれの配置場所Ａ１〜Ａ４を割り当てる。そして、第１音響機器３Ａ、第２音響機器３Ｂ、第３音響機器３Ｃ及び第４音響機器３Ｄのそれぞれに割り当てられた配置場所Ａ１〜Ａ４が対応付けられた配置データを記憶部４１に記憶させる。
【００５５】
チャンネル割当部４６は、割り当ての対象となる音響機器（例えば、第１音響機器３Ａ、第２音響機器３Ｂ、第３音響機器３Ｃ及び第４音響機器３Ｄ）に、受付部４４で受け付けたセンタ位置に対応して、複数の音響機器（例えば、第１音響機器３Ａ、第２音響機器３Ｂ、第３音響機器３Ｃ及び第４音響機器３Ｄ）のそれぞれにチャンネルを割り当てる。また、チャンネル割当部４６は、受付部４４で新たに受け付けたセンタ位置である第１センタ位置と記憶部４１に記憶されているセンタ位置である第２センタ位置とが異なる場合、複数の音響機器（例えば、第１音響機器３Ａ、第２音響機器３Ｂ、第３音響機器３Ｃ及び第４音響機器３Ｄ）のそれぞれに、前記第１センタ位置に対応するチャンネルを割り当てる。受付部４４が受け付けたセンタ位置は、記憶部４１に記憶される。なお、情報処理装置４は、チャンネルのコンテンツがＡＶレシーバ２に送信されるように構成されていることが好ましい。
【００５６】
また、受付部４４が受け付けたセンタ位置は、記憶部４１に記憶される。本実施形態の情報処理システム１０では、図２に示すように、リビングルームｒ１において、例えばテレビ５が配置されている場所をセンタ位置とすることができる。本実施形態の情報処理システム１０において、情報処理装置４は、センタ位置に向かって左側に配置される音響機器のチャンネルをチャンネルＦＬに設定する。また、ＡＶレシーバ２は、センタ位置に向かって右側に配置される音響機器のチャンネルをチャンネルＦＲに設定する。さらに、センタ位置を前方とした場合、後方の左側に配置される音響機器のチャンネルをチャンネルＳＬに設定する。また、後方の右側に配置される音響機器のチャンネルをチャンネルＳＲに設定する。
【００５７】
さらに、ユーザが、情報処理装置４を操作して、テレビ５の位置をセンタ位置として、設定することが可能である。記憶部４１がセンタ位置を記憶することで、次回情報処理システム１０を使用する際に、ユーザが再びセンタ位置を入力する必要がない。この結果、本実施形態の情報処理装置４及び情報処理システム１０では、チャンネル設定に係る時間を短縮することができる。
【００５８】
本実施形態の情報処理装置４及び情報処理システム１０では、ユーザが所望する空間、例えばリビングルームｒ１に配置されている音響機器（例えば、第１音響機器３Ａ、第２音響機器３Ｂ、第３音響機器３Ｃ及び第４音響機器３Ｄ）を特定することができる。また、本実施形態の情報処理装置４及び情報処理システムでは、特定した音響機器（例えば、第１音響機器３Ａ、第２音響機器３Ｂ、第３音響機器３Ｃ及び第４音響機器３Ｄ）の配置を検出することができる。この結果、本実施形態の情報処理装置４及び情報処理システム１０は、より簡易に音響機器３Ａ〜３Ｆの配置を特定することができる。また、本実施形態の情報処理装置４及び情報処理システム１０では、センタ位置を指定することで、特定した音響機器（例えば、第１音響機器３Ａ、第２音響機器３Ｂ、第３音響機器３Ｃ及び第４音響機器３Ｄ）のチャンネル設定が適宜可能になる。
【００５９】
ところで、情報処理装置４は、情報処理装置４に既存のＣＰＵ４０が実行する情報処理プログラムにより上述の各種機能を実現することができる。情報処理プログラムを実行することで、より簡易に音響機器３Ａ〜３Ｆの配置を特定することができる。
【００６０】
ここで、情報処理システム１０における動作を図８〜図１１を参照して説明する。図８は、情報処理システム１０の動作を示すフローチャートである。なお、前提条件として、ＡＶレシーバ２の記憶部２４には、複数の音響機器３Ａ〜３Ｆのそれぞれと、複数の音響機器３Ａ〜３Ｆのそれぞれに対応するＩＰアドレス及びＭＡＣアドレスとが対応づけられたデータが記憶されている。また、情報処理装置４は、該データを受信することができる。また、ユーザは、図２に示すように、情報処理装置４を携帯して、リビングルームｒ１の中心で情報処理装置４を操作する。さらに、ユーザは、図５に示す対応表を画面でみることができる。また、ユーザが所望するセンタ位置は、テレビ５が配置されている位置とする。
【００６１】
情報処理システム１０は、複数の音響機器３Ａ〜３Ｆのうち、割り出しの対象となる音響機器を割り出す割出処理を行う（ステップＳ１１）。情報処理システム１０は、複数の音響機器３Ａ〜３Ｆのうち、割り出しの対象と判断された（ステップＳ１２：ＹＥＳ）音響機器、例えば第１音響機器３Ａ、第２音響機器３Ｂ、第３音響機器３Ｃ及び第４音響機器３Ｄに対して、位置特定処理を行う（ステップＳ１３）。そして、第１音響機器３Ａ、第２音響機器３Ｂ、第３音響機器３Ｃ及び第４音響機器３Ｄの配置が特定されると、情報処理システム１０は、センタ位置を受け付けて、チャンネルの設定処理を行う（ステップＳ１４）。
【００６２】
なお、情報処理システム１０は、割り出しの対象と判断されなかった（ステップＳ１２：ＮＯ）音響機器、例えば第５音響機器３Ｅ及び第６音響機器３Ｆに対して、処理を終了（ＲＥＴＵＲＮに移行）する。
【００６３】
情報処理システム１０における、割出処理を説明する。図９は情報処理システム１０の割出処理における情報処理装置４及び各音響機器３Ａ〜３Ｆの動作を示すフローチャートである。ユーザは、画面上のアプリを操作して、情報処理システム１０を処理開始状態に設定する。情報処理装置４の出力部４３は、開始通知をＡＶレシーバ２を介して複数の音響機器３Ａ〜３Ｆに送信する（ステップＳ２１）。このとき、情報処理装置４は、開始通知を停止させるタイムアウト（例えば、５秒）を設定しておく。複数の音響機器３Ａ〜３Ｆのそれぞれは、開始通知を受信する（ステップＳ２２）。複数の音響機器３Ａ〜３Ｆのそれぞれは、マイク３６を収音可能な状態にする。そして複数の音響機器３Ａ〜３Ｆのそれぞれは、マイク３６が収音可能な状態に設定されていることを示す収音準備通知を、ＡＶレシーバ２を介して情報処理装置４に通知する（ステップＳ２３）。情報処理装置４が収音準備通知を受け取ると（ステップＳ２４）、情報処理装置４は、出力部４３から割出信号（テスト音）を送信する（ステップＳ２５）。
【００６４】
複数の音響機器３Ａ〜３Ｆのうち、リビングルームｒ１に配置されている第１音響機器３Ａ、第２音響機器３Ｂ、第３音響機器３Ｃ及び第４音響機器３Ｄが割出信号を収音する（ステップＳ２６）。第１音響機器３Ａ、第２音響機器３Ｂ、第３音響機器３Ｃ及び第４音響機器３Ｄは、割出信号を収音したこを示す割出信号受信通知を直接又はＡＶレシーバ２を介して情報処理装置４に送信する（ステップＳ２７）。情報処理装置４は、割出信号受信通知を受信する（ステップＳ２８）。このとき、情報処理装置４は、表示部４２に、割出信号を受信した第１音響機器３Ａ、第２音響機器３Ｂ、第３音響機器３Ｃ及び第４音響機器３Ｄを表示させる。情報処理装置４は、タイムアウト又はユーザの手動により、割出信号を停止する（ステップＳ２９）。情報処理装置４は、ＡＶレシーバ２を介して終了通知を複数の音響機器３Ａ〜３Ｆに通知する（ステップＳ３０）。複数の音響機器３Ａ〜３Ｆは、終了通知を受信して（ステップＳ３１）、マイク３６の情報処理システム１０での収音状態を停止させる。
【００６５】
一方、寝室ｒ２に配置されている第５音響機器３Ｅ及び第６音響機器３Ｆは、割出信号を収音しない。第５音響機器３Ｅ及び第６音響機器３Ｆは、割出信号を収音していないことをＡＶレシーバ２を介して情報処理装置４に通知する。なお、情報処理装置４は、割出信号を収音した音響機器のみを特定するので、収音していない音響機器（ここでは、第５音響機器３Ｅ及び第６音響機器３Ｆ）は、情報処理装置４に収音していないことを通知しなくてもよい。
【００６６】
本実施形態の情報処理方法において、割出信号を受信した音響機器だけが割り出しの対象となることで、ユーザは、適宜、空間内の音響機器を容易に特定することができる。この結果、本実施形態の情報処理方法では、より簡易に音響機器の配置を特定することができる。
【００６７】
次に、位置特定処理について、図１０を参照して説明する。図１０は、情報処理システム１０の位置特定処理における、情報処理装置４及び音響機器（ここでは、第１音響機器３Ａ）の動作を示すフローチャートである。ユーザは、図７に示す第１音響機器３Ａ、第２音響機器３Ｂ、第３音響機器３Ｃ及び第４音響機器３Ｄのいずれかを選択する（ステップＳ４１）。より詳細には、ユーザが設定しようとするセクション又は音響機器の行を選択する。受付部４４は、ユーザによって選択された、例えば第１音響機器３Ａの入力を受け付ける（ステップＳ４２）。情報処理装置４の出力部４３は、受付部４４が受け付つけた第１音響機器３Ａに検出信号をＡＶレシーバ２を介して送信する（ステップＳ４３）。第１音響機器３Ａは、検出信号を受信し、（ステップＳ４４）、応答信号を出力する（ステップＳ４５）。
【００６８】
ここで、ユーザは、応答信号（例えば、ビープ音）によって、第１音響機器３Ａがどの場所に配置されているかを特定することができる。本実施形態の情報処理システム１０において、第１音響機器３Ａは、テレビ５の左側に配置されている。言い換えると、第１音響機器３Ａは、ユーザの正面左側に配置されている。ユーザは、画面上のアプリを操作して、第１音響機器３Ａの配置が配置場所Ａ１となるように例えばプルダウンリストから配置場所Ａ１を選択する（ステップＳ４６）。情報処理装置４の受付部４４は、第１音響機器３Ａの配置が配置場所Ａ１であることを受け付ける（ステップＳ４７）。
【００６９】
位置特定処理部４５は、第１音響機器３Ａと配置場所Ａ１とを対応づける（ステップＳ４８）。記憶部４１は、第１音響機器３Ａと配置場所Ａ１とが対応付けられたデータを記憶する（ステップＳ４９）。
【００７０】
本実施形態の情報処理方法において、ユーザがビープ音を出力している音響機器を容易に特定することができ、情報処理装置４を使用して、それぞれの配置を特定することができる。つまり、本実施形態の情報処理方法では、複数の音響機器３Ａ〜３Ｆのうち、割り出しの対象となる音響機器の位置が容易に特定できる。この結果、実施形態の情報処理方法は、より簡易に音響機器の配置を特定することができる。
【００７１】
チャンネル設定処理について、図１１を参照して説明する。図１１は、情報処理システム１０のチャンネル設定処理における情報処理装置４の動作を示すフローチャートである。前提条件として、記憶部４１には、予め仮のセンタ位置（第２センタ位置）が記憶部４１に記憶されている。
【００７２】
受付部４４は、ユーザによって選択されたセンタ位置を受け付ける（ステップＳ５１）。なお、センタ位置は、図２に示すテレビ５が配置されている位置とする。リビングルームｒ１において、図２に示すように、テレビ５側が前方、テレビ５が配置されている前方と対向する壁側を後方とし、前方に向かってテレビ５を中心に左右とする。受付部４４が受け付けたセンタ位置は、第１センタ位置として記憶部４１に記憶される（ステップＳ５２）。第１センタ位置と第２センタ位置とが異なる場合（ステップＳ５３：Ｎｏ）、チャンネル割当部４６は、第１音響機器３Ａ、第２音響機器３Ｂ、第３音響機器３Ｃ及び第４音響機器３Ｄのそれぞれにチャンネルを割り当てる（ステップＳ５４）。チャンネル割当部４６は、第１センタ位置を第２センタ位置として記憶部４１に記憶させる（ステップＳ５５）。
【００７３】
本実施形態の情報処理方法では、センタ位置が入力されることで、割り出しの対象となる音響機器、例えば第１音響機器３Ａ、第２音響機器３Ｂ、第３音響機器３Ｃ及び第４音響機器３Ｄのチャンネルが割り当てられる。この結果、本実施形態の情報処理処理では情報処理装置４が、適宜、効率よく複数の音響機器のチャンネルの設定を行うことができる。
【００７４】
なお、情報処理装置４は、既存のカメラ機能を使用して、空間のビデオ又は写真と記録し、このビデオデータ又は写真を解析して、複数の音響機器３Ａ〜３Ｆの配置を特定してもよい。
【００７５】
また、応答信号は、音声であってもよい。これにより、ユーザがより配置場所を検出しやすくなる。本実施形態の情報処理システム１０において、応答信号が音声の場合、ユーザがより容易に音響機器を特定することができる。
【符号の説明】
【００７６】
１０…情報処理システム
３Ａ、３Ｂ、３Ｃ、３Ｄ、３Ｅ、３Ｆ…音響機器
４…情報処理装置
４１…記憶部
４２…表示部
４３…出力部
４４…受付部
４５…位置特定処理部
４６…チャンネル割当部
【図１】
2018235182.tif 000003
【図２】
2018235182.tif 000004
【図３】
2018235182.tif 000005
【図４】
2018235182.tif 000006
【図５】
2018235182.tif 000007
【図６】
2018235182.tif 000008
【図７】
2018235182.tif 000009
【図８】
2018235182.tif 000010
【図９】
2018235182.tif 000011
【図１０】
2018235182.tif 000012
【図１１】
2018235182.tif 000013
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
複数の音響機器に検出信号を出力する出力部と、
前記検出信号を受け取った前記複数の音響機器から出力される応答信号を基に、前記複数の音響機器のそれぞれの配置を受け付ける受付部と、
前記複数の音響機器の配置を示す配置データを記憶する記憶部と、
前記受付部で受け付けた前記配置を前記配置データに含まれる前記複数の音響機器のうちのいずれか１つに割り当て、前記配置データに割り当てられた前記配置を前記記憶部に記憶させる位置特定処理部と、
を備える、
情報処理装置。
【請求項２】
前記受付部は、センタ位置を受け付けるように構成され、
前記受付部で受け付けた前記センタ位置に対応して、前記複数の音響機器のそれぞれにチャンネルを割り当てるチャンネル割当部を更に備える、
請求項１に記載の情報処理装置。
【請求項３】
前記センタ位置は、前記記憶部に記憶され、
前記チャンネル割当部は、前記受付部で新たに受け付けたセンタ位置である第１センタ位置と前記記憶部に記憶されているセンタ位置である第２センタ位置とが異なる場合、前記複数の音響機器のそれぞれに、前記第１センタ位置に対応するチャンネルを割り当てるように構成される、
請求項２に記載の情報処理装置。
【請求項４】
前記出力部は、所定の空間に存在する前記複数の音響機器を割り出す割出信号を送信し、前記割出信号を受け付けた音響機器に前記検出信号を送信するように構成される、
請求項１乃至３のいずれか一項に記載の情報処理装置。
【請求項５】
前記配置データに基づいた配置図を表示する表示部を備え、
ユーザによって前記配置図を使用した操作を受け付けることで前記配置を受け付けるように構成される、
請求項１乃至４のいずれか一項に記載の情報処理装置。
【請求項６】
前記複数の音響機器が配置されている空間の画像を記録し、前記画像を解析して、前記複数の音響機器の配置を特定する、カメラ機能をさらに備える、
請求項１乃至５のいずれか一項に記載の情報処理装置。
【請求項７】
請求項１乃至６のいずれか一項に記載の情報処理装置と、
前記情報処理装置から出力された前記検出信号を受け取った場合、前記応答信号を出力する前記複数の音響機器と、
を備える、
情報処理システム。
【請求項８】
前記応答信号が音声である、
請求項７に記載の情報処理システム。
【請求項９】
複数の音響機器に検出信号を出力するステップと、
前記検出信号を受け取った前記複数の音響機器から出力される応答信号を基に、前記複数の音響機器のそれぞれの配置を受付部で受け付けるステップと、
前記受付部で受け付けた前記配置を、記憶部に記憶されている配置データに含まれる前記複数の音響機器のうちのいずれか１つに割り当てるステップと、
前記配置データに割り当てられた前記配置を前記記憶部に記憶させるステップと、
をプロセッサに実行させる情報処理プログラム。
【請求項１０】
複数の音響機器に検出信号を出力し、
前記検出信号を受け取った前記複数の音響機器から出力される応答信号を基に、前記複数の音響機器のそれぞれの配置を受付部で受け付け、
前記複数の音響機器の配置を示す配置データを記憶部に記憶し、
前記受付部で受け付けた前記配置を、前記記憶部に記憶されている前記配置データに含まれる前記複数の音響機器のうちのいずれか１つに割り当て、
前記配置データに割り当てられた前記配置を前記記憶部に記憶させる、
情報処理方法。
【請求項１１】
センタ位置を前記受付部で受け付け、
前記受付部で受け付けた前記センタ位置に対応して、前記複数の音響機器のそれぞれにチャンネルを割り当てる、
請求項１０に記載の情報処理方法。
【請求項１２】
前記センタ位置を前記記憶部に記憶し、
前記受付部で新たに受け付けたセンタ位置である第１センタ位置と前記記憶部に記憶されているセンタ位置である第２センタ位置とが異なる場合、前記複数の音響機器のそれぞれに、前記第１センタ位置に対応するチャンネルを割り当てる、
請求項１１に記載の情報処理方法。
【請求項１３】
所望の空間に存在する前記複数の音響機器を割り出す割出信号を送信し、
前記割出信号を受け付けた音響機器に前記検出信号を送信する、
請求項１０乃至１２のいずれか一項に記載の情報処理方法。
【請求項１４】
前記配置データに基づいた配置図を表示部に表示し、
ユーザによって前記配置図を使用した操作を受け付けることで前記配置を受け付ける、
請求項１０乃至１３のいずれか一項に記載の情報処理方法。
【請求項１５】
前記複数の音響機器が配置されている空間の画像を記録し、前記画像を解析して、前記複数の音響機器の配置を特定する、
請求項１０乃至１４のいずれか一項に記載の情報処理方法。
【手続補正２】
【補正対象書類名】明細書
【補正対象項目名】００２５
【補正方法】変更
【補正の内容】
【００２５】
通信部３２は、例えばＷｉ−Ｆｉ（登録商標）規格に準じた無線通信部である。通信部３２は、無線アクセスポイント付きのルータを介して、ＡＶレシーバ２と通信する。また、通信部３２は、情報処理装置４とも通信可能である。
【手続補正３】
【補正対象書類名】明細書
【補正対象項目名】００３３
【補正方法】変更
【補正の内容】
【００３３】
通信部２３は、例えばＷｉ−Ｆｉ（登録商標）規格に準じた無線通信部である。通信部２３は、無線アクセスポイント付きのルータを介して、複数の音響機器３Ａ〜３Ｆのそれぞれと通信する。なお、ＡＶレシーバ２がルータ機能を有する場合、通信部２３は、複数の音響機器３Ａ〜３Ｆのそれぞれと直接通信する。
【手続補正４】
【補正対象書類名】明細書
【補正対象項目名】００４４
【補正方法】変更
【補正の内容】
【００４４】
出力部４３は、所定の空間に存在する複数の音響機器３Ａ〜３Ｆの空間内の配置を割り出すための割出信号を送信し、割出信号を受け付けた音響機器に検出信号を送信する。出力部４３は、スピーカ、発光素子、赤外線送信機又はアンテナなどを有して、音、光、赤外線、又は信号を出力することができる。本実施形態の情報処理装置４では、出力部４３は、割出信号として音、例えばビープ音、をスピーカから出力する。出力部４３は、所定の空間（例えば、リビングルームｒ１）に配置されている複数の音響機器（例えば、第１音響機器３Ａ、第２音響機器３Ｂ、第３音響機器３Ｃ及び第４音響機器３Ｄ）だけが収音できる大きさの該ビープ音を出力する。これにより、情報処理システム１０では、ビープ音を収音できた音響機器（例えば、第１音響機器３Ａ、第２音響機器３Ｂ、第３音響機器３Ｃ及び第４音響機器３Ｄ）のみが割り出しの対象となる。
【手続補正５】
【補正対象書類名】明細書
【補正対象項目名】００４８
【補正方法】変更
【補正の内容】
【００４８】
記憶部４１は、ＣＰＵ４０によって実行される各種プログラムを記憶している。また、記憶部４１は、複数の音響機器３Ａ〜３Ｆの空間内の配置を示す配置データを記憶する。配置データは、複数の音響機器３Ａ〜３Ｆと、空間と、配置とが互いに対応づけられたデータである。記憶部４１は、割り当て処理によって、複数の音響機器３Ａ〜３Ｆのそれぞれと、複数の音響機器３Ａ〜３Ｆのそれぞれが配置されている空間とが対応付けられて記憶する。例えば、記憶部４１は、リビングルームｒ１に配置されている第１音響機器３Ａ、第２音響機器３Ｂ、第３音響機器３Ｃ及び第４音響機器３Ｄとリビングルームｒ１とが対応付けられた配置データを記憶している。また、記憶部４１は、寝室ｒ２に配置されている第５音響機器３Ｅ及び第６音響機器３Ｆと寝室ｒ２とが対応付けられた配置データを記憶している。
【手続補正６】
【補正対象書類名】明細書
【補正対象項目名】００５８
【補正方法】変更
【補正の内容】
【００５８】
本実施形態の情報処理装置４及び情報処理システム１０では、ユーザが所望する空間、例えばリビングルームｒ１に配置されている音響機器（例えば、第１音響機器３Ａ、第２音響機器３Ｂ、第３音響機器３Ｃ及び第４音響機器３Ｄ）を特定することができる。また、本実施形態の情報処理装置４及び情報処理システム１０では、特定した音響機器（例えば、第１音響機器３Ａ、第２音響機器３Ｂ、第３音響機器３Ｃ及び第４音響機器３Ｄ）の配置を検出することができる。この結果、本実施形態の情報処理装置４及び情報処理システム１０は、より簡易に音響機器３Ａ〜３Ｆの配置を特定することができる。また、本実施形態の情報処理装置４及び情報処理システム１０では、センタ位置を指定することで、特定した音響機器（例えば、第１音響機器３Ａ、第２音響機器３Ｂ、第３音響機器３Ｃ及び第４音響機器３Ｄ）のチャンネル設定が適宜可能になる。
【手続補正７】
【補正対象書類名】明細書
【補正対象項目名】００６４
【補正方法】変更
【補正の内容】
【００６４】
複数の音響機器３Ａ〜３Ｆのうち、リビングルームｒ１に配置されている第１音響機器３Ａ、第２音響機器３Ｂ、第３音響機器３Ｃ及び第４音響機器３Ｄが割出信号を収音する（ステップＳ２６）。第１音響機器３Ａ、第２音響機器３Ｂ、第３音響機器３Ｃ及び第４音響機器３Ｄは、割出信号を収音したことを示す割出信号受信通知を直接又はＡＶレシーバ２を介して情報処理装置４に送信する（ステップＳ２７）。情報処理装置４は、割出信号受信通知を受信する（ステップＳ２８）。このとき、情報処理装置４は、表示部４２に、割出信号を受信した第１音響機器３Ａ、第２音響機器３Ｂ、第３音響機器３Ｃ及び第４音響機器３Ｄを表示させる。情報処理装置４は、タイムアウト又はユーザの手動により、割出信号を停止する（ステップＳ２９）。情報処理装置４は、ＡＶレシーバ２を介して終了通知を複数の音響機器３Ａ〜３Ｆに通知する（ステップＳ３０）。複数の音響機器３Ａ〜３Ｆは、終了通知を受信して（ステップＳ３１）、マイク３６の情報処理システム１０での収音状態を停止させる。
【手続補正８】
【補正対象書類名】明細書
【補正対象項目名】００６７
【補正方法】変更
【補正の内容】
【００６７】
次に、位置特定処理について、図１０を参照して説明する。図１０は、情報処理システム１０の位置特定処理における、情報処理装置４及び音響機器（ここでは、第１音響機器３Ａ）の動作を示すフローチャートである。ユーザは、図７に示す第１音響機器３Ａ、第２音響機器３Ｂ、第３音響機器３Ｃ及び第４音響機器３Ｄのいずれかを選択する（ステップＳ４１）。より詳細には、ユーザが設定しようとするセクション又は音響機器の行を選択する。受付部４４は、ユーザによって選択された、例えば第１音響機器３Ａの入力を受け付ける（ステップＳ４２）。情報処理装置４の出力部４３は、受付部４４が受け付けた第１音響機器３Ａに検出信号をＡＶレシーバ２を介して送信する（ステップＳ４３）。第１音響機器３Ａは、検出信号を受信し、（ステップＳ４４）、応答信号を出力する（ステップＳ４５）。
【手続補正９】
【補正対象書類名】明細書
【補正対象項目名】００７３
【補正方法】変更
【補正の内容】
【００７３】
本実施形態の情報処理方法では、センタ位置が入力されることで、割り出しの対象となる音響機器、例えば第１音響機器３Ａ、第２音響機器３Ｂ、第３音響機器３Ｃ及び第４音響機器３Ｄのチャンネルが割り当てられる。この結果、本実施形態の情報処理方法では情報処理装置４が、適宜、効率よく複数の音響機器のチャンネルの設定を行うことができる。
【国際調査報告】
2018235182.tif 000014
2018235182.tif 000015
2018235182.tif 000016
2018235182.tif 000017